(57)【特許請求の範囲】
【請求項１】
信号受信用の第１のアンテナを装着すべく立設する縦マストと、受信した信号を再送信するための第２のアンテナを装着すべく前記縦マストに基端部を連結して側方へ伸設した少なくとも１本の横マストと、前記縦マストを立設固定する基台とを有し、建造物に設置されるアンテナ支持装置であって、
前記基台には双方のマストにアンテナを装着した状態で、マストを安定設置させる重りを上載或いは連結可能であるとともに、
前記横マストを前記建造物のパラペットに固定可能な固定機構を有し、該固定機構により、前記パラペットを越えて前記第２のアンテナを前記建造物の側方へ突出させた状態で設置可能としたことを特徴とするアンテナ支持装置。
【請求項２】
横マストを固定する横マスト固定部材を有する請求項１記載のアンテナ支持装置。
【請求項３】
第２のアンテナを、横マストに連結して上方に伸びた支持棒を介して横マストに装着した請求項１又は２記載のアンテナ支持装置。
【請求項４】
横マストは縦マスト上を上下に移動可能な連結部材により縦マストに連結されて成る請求項１乃至３の何れかに記載のアンテナ支持装置。
【請求項５】
連結部材が２又に分かれた横マスト装着部を有し、横マストをＶ字状に２本連結可能である請求項４記載のアンテナ支持装置。
【請求項６】
前記パラペットがフェンスを備えた建造物に設置されるアンテナ支持装置であって、前記固定機構が、前記横マストを上面に配置可能な板体と、前記横マストを挟むような位置で前記板体に取り付け可能な一対のＵ字状の係止部材とからなり、前記横マストを前記板体上に配置した状態で前記係止部材を前記フェンスに係止させることにより、前記横マストを前記パラペットに固定可能としたことを特徴とする請求項１〜５の何れかに記載のアンテナ支持装置。
【請求項７】
前記固定機構が、前記パラペットの内側に設けられた溝と、前記横マストに連結可能であるとともに前記溝に係止した状態で固定可能な固定部材とからなることを特徴とする請求項１〜５の何れかに記載のアンテナ支持装置。
【発明の詳細な説明】
【０００１】
【発明の属する技術分野】
本発明は、衛星信号や地上波信号を受信或いは送信するアンテナを支持するアンテナ支持装置に関し、詳しくは受信アンテナとその受信信号を再送信する送信アンテナとの双方を支持するアンテナ支持装置に関する。
【０００２】
【従来の技術】
例えばビル等の建造物の屋上にアンテナを設置しようとした場合、通常屋上には防水シートが敷設されているため、床面にアンカーを打ち込む孔開け工事をすると、その防水シートが破壊されて雨漏りの原因となってしまう。そのため、アンカーボルト等を打ち込むことができない。そこで、アンカーボルトを使用しない特開昭６０−８９１０２号公報に開示された構成のアンテナ支持装置が利用されている。これは、パラボラアンテナを装着するマストの下端部にコンクリートブロック等の重りを載置可能な枠体から成る基台を設けたもので、その基台上に重りを載置することで、マストを床面にアンカー等を打ち込むことなく固定することを可能としている。
【０００３】
【発明が解決しようとする課題】
ところで、近年、通信ニーズの増大と通信技術の発展に伴い、通信衛星を利用した情報提供及びその受信システムが利用され始めている。これは地上に大がかりなインフラを整備しなくとも広範囲なエリアに対して情報を提供できることにある。しかし、このような衛星を利用したシステムは、衛星からの電波が例えば１２ＧＨｚと高周波であるため直進性が高く、例えば高層ビルの陰になった地域では受信できない不感エリアが形成される問題点がある。
この対策として、対象となる各ユーザに対してもれなくケーブルを敷設する方法が考えられるが、大がかりな工事及び費用が必要となる。また利用者が移動体に於いて受信する場合、ケーブルを引き込む訳にはいかない。
【０００４】
そこで、衛星信号を受信する第１のアンテナをビルの屋上等に設置すると共に、再送信する第２のアンテナを受信できないエリアに向けて設置して電波として再送信するギャップフィラーが提案され、このギャップフィラー装置は安価に形成することが可能であるし、移動体に対しても有効であるため、利用が検討されている。
【０００５】
しかし、そのようなギャップフィラーを実施する場合、衛星信号を受信する第１のアンテナは上記特開昭６０−８９１０２号公報のアンテナ支持装置によりビルの屋上に設置することは可能であるが、再送信する第２のアンテナは単にビルの屋上に設置するだけでは不感エリアの解消には効果が無く、不感エリアに電波を送出することができるように、ビルの側面或いは側方に突出するよう設けなければならず、アンテナの設置方法が面倒なものとなっていた。
例えば、既に建設されたビル外壁への設置或いは屋上からビル側方へ突出させる形態が考えられるが、外壁への設置は建築基準や安全の点で難しいし、屋上から側方へ突出させる形態は、アンテナ支持部材を床面にアンカーで固定することができないため複雑な構造となってしまう。
【０００６】
そこで、本発明は上記問題点に鑑み、ギャップフィラー装置をビルの屋上等で容易に実現することが可能なアンテナ支持装置を提供する事を課題とする。
【０００７】
【課題を解決するための手段】
上記課題を解決するため、請求項１の発明は、信号受信用の第１のアンテナを装着すべく立設する縦マストと、受信した信号を再送信するための第２のアンテナを装着すべく縦マストに基端部を連結して側方へ伸設した少なくとも１本の横マストと、縦マストを立設固定する基台とを有し、建造物に設置されるアンテナ支持装置であって、基台には双方のマストにアンテナを装着した状態で、マストを安定設置させる重りを上載或いは連結可能であるとともに、横マストを建造物のパラペットに固定可能な固定機構を有し、該固定機構により、パラペットを越えて第２のアンテナを建造物の側方へ突出させた状態で設置可能としたことを特徴とする。
【０００８】
請求項２の発明は、請求項１の発明において、横マストを固定する横マスト固定部材を有することを特徴とする。
【０００９】
請求項３の発明は、請求項１又は２の発明において第２のアンテナを、横マストに連結して上方に伸びた支持棒を介して横マストに装着して構成される。
【００１０】
請求項４の発明は、請求項１乃至３の何れかに記載の発明において、横マストは縦マスト上を上下に移動可能な連結部材により縦マストに連結されて成ることを特徴とする。
【００１１】
請求項５の発明は、請求項４の発明において、連結部材が２又に分かれた横マスト装着部を有し、横マストをＶ字状に２本連結可能であることを特徴とする。
請求項６の発明は、請求項１〜５の何れかの発明において、パラペットがフェンスを備えた建造物に設置されるアンテナ支持装置であって、固定機構が、横マストを上面に配置可能な板体と、横マストを挟むような位置で板体に取り付け可能な一対のＵ字状の係止部材とからなり、横マストを板体上に配置した状態で係止部材をフェンスに係止させることにより、横マストをパラペットに固定可能としたことを特徴とする。
請求項７の発明は、請求項１〜５の何れかの発明において、固定機構が、パラペットの内側に設けられた溝と、横マストに連結可能であるとともに溝に係止した状態で固定可能な固定部材とからなることを特徴とする。
【００１２】
【発明の実施の形態】
以下、本発明を具体化した実施の形態を、図面を基に詳細に説明する。図１は本発明に係るアンテナ支持装置の第１の実施の形態を示し、アンテナを装着した状態の斜視図であり、垂直に伸びた１本の縦マスト１、及び縦マスト１に基端部を連結して水平方向に伸ばした横マスト２を有し、縦マストは下端が基台３に固着されて基台上に立設されている。
【００１３】
縦マスト１及び横マスト２は中空の金属パイプで形成され、それぞれ先端部にアンテナ装着部を有し、縦マスト１には衛星信号受信用の第１のアンテナ６が、横マスト２には電波を放射する第２のアンテナ７がそれぞれアンテナ取付具４，５を介して装着され、図示するように例えばビル１０の屋上に本装置を設置した場合、第１のアンテナ６で受信した信号を第２のアンテナ７で再送信する事で、ギャップフィラーを実施でき、衛星からの電波の届かない不感エリアの解消を可能としている。
【００１４】
各部を説明すると、基台３は略四角形の金属製板体であり、中央に縦マスト１が溶接され、溶接部周囲は放射状に縦マスト１の立設を補助する補助片８が同様に溶接形成されている。そして、マスト周囲の基台３上は、例えばコンクリートブロックから成る重り１１を載置可能な十分な広さを有し、重り１１を縦マスト１周囲に上載配置することで、基台３を設置する床面にアンカー等で固定しなくとも強風等により本装置が転倒或いは移動することがなくなる。
【００１５】
横マスト２は、基端部が連結部材１２により縦マスト１に連結され、先端部をビル１０の壁面上端部のパラペット１０ａから外方へ突出させ、その先端部に第２のアンテナ７を装着し、途中を横マスト固定部材１３であるパラペット連結具１３ａによりパラペット１０ａに固定されている。
尚、第１のアンテナ６であるパラボラアンテナ、第２のアンテナ７である送信アンテナの装着に使用されているアンテナ取付具４，５は、それぞれマスト１，２にアンテナを装着した状態でアンテナの仰角を調整可能に形成されている。
【００１６】
連結部材１２は図２の斜視図に示すように、縦マスト１と略同一の内径を有する筒部１４と、筒部１４の１側部を縦割り形成し、その両辺に沿って対向するよう舌片を設けて締め付け部１５が形成され、その締め付け部１５に穿設した孔にボルト１６を挿通してナット１６ａに螺入することで、挿通した縦マスト１に締着可能となっている。また、筒部１４の側面にはねじ孔１４ａが設けられ、ボルト１９を螺入することで縦マスト１に締着した連結部材１２の回動を阻止するようになっている。
【００１７】
筒部１４の締め付け部１５と対向する側面の略中央には横マストと略同一の内径を有する円筒形状の横マスト保持部１７が溶接形成されている。この横マスト保持部１７は挿入する横マスト２の軸と直交する直径方向に貫通孔１７ａが形成されていると共に、挿入される横マスト２の対応する位置に貫通孔２ａが形成され、横マスト２を挿入した後、ボルト１８を双方の貫通孔１７ａ，２ａ、２ａ，１７ａと連続して挿通し、ナット１８ａに螺入する事で横マスト２の脱落を不可能にしている。
【００１８】
そして、パラペット連結具１３ａは、横マスト２を挿通し保持する筒部２０とその下方に設けた板状のパラペット連結部２１とから成り、筒部２０は横マスト２と略同一の径を有し、その上部側部は縦割り形成されて、その両辺に沿って対向するよう舌片が設けられて締め付け部２２が形成されている。そして、締め付け部２２に穿設した孔にボルト２３を送通して、ナット２３ａと共に挿通した横マスト２に筒部２０を締着可能となっている。また、パラペット連結部２１は、アンカーボルト２４の挿通孔２１ａが複数形成され、アンカーボルト２４をパラペット１０ａの壁面に打ち込んで固定される。
【００１９】
尚、アンカーボルト２４をパラペット１０ａに打ち込んでもビルの防水構造に悪影響を及ぼすことがないが、パラペットに穿設したアンカーボルト挿入口に防水用シールド材を充填したり、パラペット連結部２１をゴム材で形成されたシートを介してパラペット１０ａにアンカーボルト止めすれば、防水効果を得ることができる。また、そのようなシートを挟み込めばパラペット表面が破損する事もなくなる。
また、アンカーボルトを使用せずパラペット連結具１３ａを接着剤によりパラペットに固着することもできる。
【００２０】
また、２６は信号処理装置であり、第１のアンテナ６で受信した電波を同軸ケーブル２７ａを介して受け、周波数変換すると共に増幅したり、単に増幅して第２のアンテナ７へ同軸ケーブル２７ｂを介して送出している。例えば衛星からの１２ＧＨｚ帯の電波を第１のアンテナ１で受信して、信号処理装置２６により２．６ＧＨｚ帯に周波数変換して第２のアンテナ２より再送信するように構成されている。
【００２１】
上記アンテナ支持装置をビル屋上に設置する手順の１例、及び作用を説明すると、まず縦マスト１に連結部材１２を取り付けた基台３を所望する位置に配置し、重り１１の１部或いは全てを基台３に載置する。そして、予め第２のアンテナ７をアンテナ取付具５を介して装着し、また横マスト固定部材１３を取り付けた横マスト２を縦マスト１に設けた連結部材１２に連結すると共に、横マスト固定部材１３であるパラペット連結具１３ａをパラペット１０ａの内側壁面にアンカーボルト２４を打ち込んで固定する。その後、第１のアンテナ６をアンテナ取付具４を介して縦マスト１の先端に装着する。最後に、各固定具のボルト締めを確実にし、残りの重りがあればそれを基台３に載置する。
【００２２】
このように、アンカーボルト等を直接床面に打ち込まないので、ビルの屋上等の防水構造を劣化させることなく第１及び第２のアンテナの双方を設置することができ、ギャップフィラーを容易に実現することができる。
また、縦マストの任意の位置に横マストを連結することができるので、ビルのパラペット部の高さが一様でなくとも容易に第２のアンテナを設置することができるし、横マストをパラペット等の建造物に固定するので、本装置を安定させて設置することができる。
【００２３】
尚、上記実施の形態では基台上に重りを載置することで、アンテナ支持装置を固定したが、図３に示すように設置する床面に立方体形状の重り２５を配置して、その重りの上部に基台３をボルトにより固定しても良い。また、連結部材は横マストを縦マストに連結する横マスト保持部１７を図２（ｂ）に示すように二股に形成し、図４の平面図に示すように同時に２方向に第２のアンテナを設置可能としても良い。ただし、このように２方向に第２のアンテナを設置する場合でも、上記実施の形態の連結部材１２を２個用いて実施する事もできる。
【００２４】
図５は本発明の第２の実施の形態を示し、上記実施の形態とは連結部材及び横マスト固定部材の形状が異なり、他は同一の形状及び構成となっている。連結部材１２は、図６の分解斜視図に示すように、円筒を半割した形状の縦マスト狭持部２９ａ、及び横マスト狭持部２９ｂを有する受板２９と、縦マスト狭持部２９ａに対応する円筒を半割した形状の第１の当板３０と、横マスト狭持部２９ｂに対応する円筒を半割した形状の第２の当板３１との３部材からなり、それぞれボルト３２，３２・・を挿通する挿通孔を有した連結用舌片３４ａ，３４ｂ，３４ｃ，３４ｄが設けられ、ボルト３２とナット３２ａとにより組み付けられて横マスト２及び縦マスト１を狭持して連結するよう形成されている。
また、受板２９の縦マスト狭持部２９ａ及び横マスト狭持部２９ｂの略中央にはねじ孔３５，３６が設けられボルトを螺入することで連結部材１２及び横マスト２の回動を阻止するように成っている。
【００２５】
そして、横マスト固定部材１３は、図７（ａ）の分解斜視図に示すように、円筒を半割した形状の横マスト狭持部３７ａとパラペット連結部３７ｂとから成る受板３７と、横マスト狭持部３７ａに対応する円筒を半割した形状の当板３８とから成り、双方にボルト３９を挿通する挿通孔を有した連結用舌片４０ａ，４０ｂが設けられ、ボルト３９とナット３９ａとにより組み付けられて横マストを狭持する。
尚、受板３７は図７（ｂ）に示すように、横マスト狭持部３７ａとパラペット連結部３７ｂとを分割形成し、組み付ける際にボルトで連結するようにしても良い。
【００２６】
連結部材及び横マスト固定部材をこのように形成することで、容易にそれぞれのマストに装着することができ、予め縦マスト或いは横マストに挿通しておかなくとも、作業現場或いは状況に応じて、作業し易い手順で組み立てることができる。例えば横マストを縦マストに連結した後からでも容易に横マスト固定部材を装着することができる。
【００２７】
図８は本発明の第３の実施の形態を示し、上記第１の実施の形態とは横マスト固定部材の構成が異なっている。ここでは、横マスト２をパラペット１０ａに固定するのではなく、パラペット１０ａ上に設置されたフェンス４２の下枠４５に固定している。
この横マスト固定部材１３であるフェンス連結具１３ｂは図９の分解斜視図に示すように、左右端部に孔４３ａが設けられた横長い板体４３と、一方を長く形成してねじ部４４ｂを設けた２本のＵ字状の係止部材４４とからなり、下枠４５に係止部材４４を所定間隔で係止させ、横マスト２を２本の係止部材４４の間に配置した後、板体４３を配置して左右の孔４３ａにねじ部４４ｂを挿通し、下方からナット４４ａをそのねじ部４４ｂに螺入して固定させている。
このように、パラペットに直接固定しなくとも良く、アンテナを十分保持しうる堅牢な建造物であれば都合の良い場所或いはものに固定すれば良い。
【００２８】
また、パラペット１０ａに連結するパラペット連結具１３ａは、アンカーボルトにより固定する構成である必要はなく、例えば図１０に示すようにパラペット１０ａを上方から挟み込む形状としても良い。図１０では、横マスト固定部材１３であるパラペット狭持具１３ｃを断面Ｌ字状にプレス形成した第１部材４６ａと第２部材４６ｂとから形成し、双方の左右端にパラペット１０ａの狭持を確実にする歯形部４７が形成され、折り曲げた上面にはボルトによる双方の連結部が設けられ、上側となる第１部材４６ａの挿通孔４８ａは長孔で形成されると共に、下側となる第２部材にはねじ孔が形成され、あらゆる幅のパラペットに対応して狭持可能に形成されている。また、第１部材４６ａの上面中央には横マスト２を保持するマスト挿通部４９が形成され、第２部材４６ｂの垂下した側面にはねじ孔４８ｂが左右に複数設けられ、当板５０を介してボルトを螺入する事で確実にパラペット１０ａを狭持するようになっている。
【００２９】
尚、第１部材４６ａ及び第２部材４６ｂの横マスト保持部を、それぞれ上記第１の実施の形態で示しているパラペット連結具１３ａの締め付け部２２の如く筒状に形成しても良く、そうすればパラペット厚み方向の自由度が増し、パラペットの厚みに関係なく容易に装着することが可能となる。また、横マストは直線状の金属パイプでなく、先端部のアンテナ装着部を上方に折り曲げてＬ字状に形成しても良いし、基台は何れも板体としたが、アングルを組み合わせて形成しても良いし、板体とアングルを組み合わせて形成しても良い。
【００３０】
図１１は第４の実施の形態を示し、図１１（ａ）は側面図であり、上記実施の形態とは第２のアンテナの装着形態が異なり、横マスト２に支持棒５１を連結し、その支持棒５１を介して第２のアンテナ７を装着している。
支持棒５１は、先端がビル外へ突出するように途中を曲げて形成され、横マスト２の途中位置から連結金具５２により立設保持され、第２のアンテナ７は立設された支持棒の先端にアンテナ取付具５により装着されている。そして、支持棒５１基端部は板状の安定板５３が溶接形成されて、その安定板５３を床面上に配置する事で支持棒５１の立設を補助し安定させている。
また、横マスト２の先端にはパラペット１０ａ内側に形成された断面矩形の横溝５５に係止する溝係止具１３ｄが横マスト固定部材１３として設けられている。この溝係止具１３ｄは図１１（ｂ）の正面図、図１１（ｃ）の断面図に示すように、上下方向に伸縮可能に形成され、伸張して横溝５５の上下壁面に係止させて４個のボルト５６で固定するようになっている。また、その下辺には係止を確実にするためのボルト５７が設けられている。
【００３１】
このように、パラペット内側に矩形の溝が形成されている場合は、横マストをその溝を利用して固定し、支持棒を介して第２のアンテナを装着すればよく、横マストを固定する横マスト固定部材はアンテナを設置する場所のパラペット形状やフェンス等の建造物の状況に応じて変更すればよいし、必要に応じて第２のアンテナを装着する際に支持棒を使用することで、パラペット形状が異形であったり高い場合であっても、アンテナを容易に設置することができる。
尚、上記アンテナ支持装置は、衛星信号を受信し、周波数変換して再送信するギャップフィラーに使用するものとしたが、これに限定するものではなく、地上波のビル間の中継伝送用にも利用することもできる。
【００３２】
【発明の効果】
以上詳述したように、請求項１の発明によれば、アンカーボルト等の連結具を床面に打ち込むこと無く、第１及び第２のアンテナの双方を屋上等に設置することができ、ギャップフィラー装置を容易に実現することができる。
また、固定機構により横マストを建造物のパラペットに固定するので、本装置を安定させて設置することができる。
【００３３】
請求項２の発明によれば、請求項１の効果に加えて縦マストの任意の位置に横マストを連結することができ、ビルのパラペット等の高さに拘わらず容易に第２のアンテナを設置することができる。
【００３４】
請求項３の発明によれば、請求項１又は２の効果に加えて、パラペット形状が異形であったり高い場合であっても、アンテナを容易に設置することができる。
【００３５】
請求項４の発明によれば、請求項１乃至３の効果に加えて、横マストを例えばパラペット等の建造物に固定することができるので、本装置の更に安定した設置を実現できる。
【００３６】
請求項５の発明によれば、請求項４の効果に加えて、同時に２個の第２のアンテナを設置することができる。
【図面の簡単な説明】
【図１】本発明の実施の形態の１例を示すアンテナ支持装置の斜視図である。
【図２】（ａ），（ｂ）共に図１の横マストと縦マストとを連結する連結部材の斜視図である。
【図３】図１の基台の他の固定形態を示す要部斜視図である。
【図４】ビル屋上に本発明のアンテナ支持装置を設置した様子を示す平面図である。
【図５】本発明の第２の実施の形態を示すアンテナ支持装置の斜視図である。
【図６】図５の横マストと縦マストとを連結する連結部材の分解斜視図である。
【図７】図５の横マストをビルのパラペットに固定する横マスト固定部材の分解斜視図である。
【図８】本発明の第３の実施の形態を示すアンテナ支持装置の斜視図である。
【図９】図８の横マスト固定部材の分解斜視図である。
【図１０】横マスト固定部材の他の形態を示す斜視図である。
【図１１】本発明の第４の実施の形態を示し、（ａ）はアンテナ支持装置を設置した状態の側面説明図、（ｂ）は横マスト固定部材の正面図、（ｃ）は（ｂ）のＡ−Ａ′矢視断面図である。
【符号の説明】
１・・縦マスト、２・・横マスト、３・・基台、４・・第１のアンテナ取付具、５・・第２のアンテナ取付具、６・・第１のアンテナ、７・・第２のアンテナ、１１・・重り、１２・・連結部材、１３・・横マスト固定部材、１３ａ・・パラペット連結具、１３ｂ・・フェンス連結具、１３ｃ・・パラペット狭持具、１３ｄ・・溝係止具、１７・・横マスト保持部、２１・・パラペット連結部、２４・・アンカーボルト、２９・・受け板、２９ａ・・縦マスト狭持部、２９ｂ・・横マスト狭持部、３０・・第１の当板、３１・・第２の当板、３７ａ・・横マスト狭持部、３７ｂ・・パラペット連結部、３８・・当板、４３・・板体、４４・・係止部材、４６ａ・・第１部材、４６ｂ・・第２部材、４９・・マスト挿通部、５１・・支持棒。
【図１】
0004426043.tif 000002
【図２】
0004426043.tif 000003
【図３】
0004426043.tif 000004
【図４】
0004426043.tif 000005
【図５】
0004426043.tif 000006
【図６】
0004426043.tif 000007
【図７】
0004426043.tif 000008
【図８】
0004426043.tif 000009
【図９】
0004426043.tif 000010
【図１０】
0004426043.tif 000011
【図１１】
0004426043.tif 000012